(57)【要約】【課題】  携帯ホルダから取り出したときを含む所定の時間内に、また携帯ホルダへ収納したときを含む所定の時間内に電源のオン・オフが自動的に制御されて電池の長寿命化を図ることができる携帯機器を提供すること。【解決手段】  電源スイッチ１０２をデジタルカメラ１０の表面に設ける。その電源スイッチをデジタルカメラの取出し操作や収容操作に応じて操作する操作部１１ｂを携帯ホルダ１１に設ける。携帯ホルダ１１に収容した状態からデジタルカメラの取り出し操作が行なわれたら操作部１１ｂにより電源スイッチが操作され、すぐにこのデジタルカメラが使用可能な状態になる。またこのデジタルカメラにオートパワーオフ機能を搭載して電源スイッチが収容時に操作部により操作されても時間の経過とともに電力の供給が遮断されるようにしておく。【選択図】  図１
2005274903.tif 000002
【特許請求の範囲】
【請求項１】
内蔵電池と該内蔵電池から電力の供給を受けて動作する回路とを備えた携帯機器本体と、該携帯機器本体を取出自在に収容する携帯用ホルダとを備えた携帯機器において、
前記携帯機器本体が、操作を受けて前記内蔵電池の電力を前記回路に供給する電源スイッチと、所定時間を越えてこの携帯機器本体への操作がないことをもって前記回路への電力の供給を停止するオートパワーオフ手段とを備え、
前記携帯ホルダが、前記携帯機器本体を該携帯ホルダに収容された状態から取出す操作により前記電源スイッチを操作する操作部を備えたものであることを特徴とする携帯機器。
【請求項２】
前記携帯機器本体が前記内蔵電池と前記回路との間の接続の機械的な遮断を受ける電力遮断構造を有し、
前記携帯ホルダが、該携帯ホルダへの前記携帯機器本体の収容操作に応じて前記電力遮断構造に作用して前記内蔵電池と前記回路との接続を断つとともに該携帯ホルダからの前記携帯機器本体の取出し操作に応じて前記電力遮断構造の作用を停止して前記内蔵電池と前記回路との間を接続させるものであることを特徴とする請求項１記載の携帯機器。
【発明の詳細な説明】
【技術分野】
【０００１】
本発明は、内蔵電池とその内蔵電池から電力の供給を受けて動作する回路とを備えた携帯機器本体と、その携帯機器本体を取出自在に収容する携帯用ホルダとを備えた携帯機器に関する。
【背景技術】
【０００２】
旅行などに出かけるときにはカメラなどを携帯して出かけることが多い。小型のカメラから一眼レフのカメラまでカメラも多種多様で、各自自分にあったカメラを携帯している。最近では、カメラを備えた携帯電話まであり、このような携帯機器は使用しないときにはポケットなどに入れて使用時にポケットから取り出して用いられている。
【０００３】
携帯機器を携帯する人達の中には、ベルトなどに携帯ホルダを取り付けてその携帯ホルダに携帯機器本体を収容して携帯する人もいる。このベルトなどに取り付けて使用される携帯ホルダは、携帯機器本体を携帯するのには便利であるが、使用時にその携帯ホルダから携帯機器本体を取り出し、携帯機器本体に設けられたスイッチなどを操作するとなると、少々使い勝手が悪い。また、うっかり電源を入れっ放しで携帯ホルダ内に収容してしまうこともある。
【０００４】
そこで、携帯機器本体に磁気によって作動するスイッチ、および携帯ホルダに磁気部材を設けて、携帯ホルダ内に携帯機器本体が収納されたときにはそのスイッチを切断することにより電源を切り、携帯ホルダから取り出されたときには、そのスイッチを接続することにより電源を投入する技術が提案されている（例えば特許文献１参照）。
【０００５】
しかし、特許文献１のものでは、携帯ホルダから携帯機器本体を一旦取り出すと電源が投入されたままになって場合によっては再びその携帯ホルダに携帯機器本体が収容されるまで電池から電力が供給され続ける。このように無用な電力が供給されると電池の寿命が短くなってしまう。
【特許文献１】特開平０７−１１４０８０号公報
【発明の開示】
【発明が解決しようとする課題】
【０００６】
本発明は、上記事情に鑑み、携帯ホルダから取り出したときを含む所定の時間内に、また携帯ホルダへ収納したときを含む所定の時間内に電源のオン・オフが自動的に制御されて電池の長寿命化を図ることができる携帯機器を提供することを目的とする。
【課題を解決するための手段】
【０００７】
上記目的を達成する本発明の携帯機器は、内蔵電池とその内蔵電池から電力の供給を受けて動作する回路とを備えた携帯機器本体と、その携帯機器本体を取出自在に収容する携帯用ホルダとを備えた携帯機器であって、
上記携帯機器本体が、操作を受けて上記内蔵電池の電力を上記回路に供給する電源スイッチと、所定時間を越えてこの携帯機器本体への操作がないことをもって上記回路への電力の供給を停止するオートパワーオフ手段とを備え、
上記携帯ホルダが、上記携帯機器本体をその携帯ホルダに収容された状態から取出す操作により上記電源スイッチを操作する操作部を備えたものであることを特徴とする。
【０００８】
上記本発明の携帯機器によれば、上記携帯ホルダに上記携帯機器本体が収容された状態から取出す操作が行われると、上記携帯ホルダが備える操作部により上記電源スイッチが操作され上記回路への電力の供給が開始される。上記携帯機器本体を上記携帯ホルダから取り出してすぐに使用する場合にはその使用がすぐに開始されるが、この携帯機器を上記携帯ホルダーから取り出しても所定時間を超えてこの携帯機器本体への操作が行われない場合にはオードパワーオフ手段が働いて自動的に電池からの電力の供給が行われなくなる。
【０００９】
そのオートパワーオフ手段が働いた後、この携帯機器本体を使用したいときには再度電源スイッチを手で操作すれば良い。また、電源スイッチが操作され、電池からの電力の供給が行われている状態で、携帯機器本体の携帯ホルダへの収容操作が行われると、携帯ホルダに携帯機器本体が収容されたときに電源スイッチが携帯ホルダの操作部により操作されて電池からの電力の供給が行われなくなる。またオートパワーオフ手段が働いている状態で携帯機器本体が携帯ホルダに収容されることもある。そのときには電源スイッチが携帯ホルダの操作部に操作された後、電池からの電力の供給が所定時間行われるが、携帯ホルダに携帯機器本体が収容されている状態にあるときにはこの携帯機器本体への操作が所定時間経っても行われないのでオートパワーオフが働いて電池からの電力の供給が行われなくなる。
【００１０】
そうすると、携帯ホルダからの取り出したときを含む所定の時間内に、また携帯ホルダへ収納したときを含む所定の時間内に電源のオン・オフが自動的に制御されて電源がオン状態にある続けることがなくなって電池の長寿命化が図れる。
【００１１】
また、上記携帯機器本体が上記内蔵電池と上記回路との間の接続の機械的な遮断を受ける電力遮断構造を有し、上記携帯ホルダが、その携帯ホルダへの上記携帯機器本体の収容操作に応じて上記電力遮断構造に作用して上記内蔵電池と上記回路との接続を断つとともにその携帯ホルダからの上記携帯機器本体の取出し操作に応じて前記電力遮断構造の作用を停止して上記内蔵電池と上記回路との間を接続させるものであることが好ましい。
【００１２】
そうすると、上記オートパワーオフが働いた状態で上記携帯ホルダに上記携帯機器本体が収容されたときに上記携帯ホルダが上記携帯機器本体の電力遮断構造に作用して上記内蔵電池と上記回路との接続を機械的に断って電池からの電力の供給を即座に断つため、オートパワーオフに費やされる電力も削減され電池寿命がさらに長くなる。
【発明の効果】
【００１３】
以上、説明したように、携帯ホルダから取り出したときを含む所定の時間内に、また携帯ホルダへ収納したときを含む所定の時間内に電源のオン・オフが自動的に制御されて電池の長寿命化を図ることができる携帯機器が実現される。
【発明を実施するための最良の形態】
【００１４】
以下図面を参照して本発明の実施の形態を説明する。
【００１５】
以下、本発明の実施形態の携帯機器の構成を説明する。
【００１６】
図１は携帯機器本体１０と携帯ホルダ１１とからなる携帯機器１の外観を示す図である。ここでは携帯機器本体１０としてデジタルカメラを例に挙げている。
【００１７】
この携帯機器１は内蔵電池と内蔵電池から電力の供給を受けて動作する回路とを備えたデジタルカメラ１０と、デジタルカメラ１０を取出自在に収容する携帯用ホルダ１１とを備えている。携帯ホルダ１１はベルトなどに取り付けることができるように取付部１１ｃを有している。この取付部１１ｃがベルトなどに取り付けられ、デジタルカメラ１０が携帯ホルダ１１に収容されると、両方の手いずれも用いずに身に付けて携帯することができる。図１に示すデジタルカメラ１０の側面には電源スイッチ１０２が設けられており、携帯ホルダ１１にはデジタルカメラ１０を収容したときにそのデジタルカメラ１０を支持する支持部１１ａと、その支持部１１ａとともにデジタルカメラ１０を横方向から支持する支持部にもなる操作部１１ｂとが設けられている。このデジタルカメラ１０がこの携帯ホルダ１１に収容されるときには、このデジタルカメラ１０の表面が支持部１１ａと操作部１１ｂとからなる携帯ホルダ１１の内面に接触するようにして収容される。
【００１８】
なお、この例においては、電源スイッチとして例えばトグル動作をする電源スイッチ１０２が適用された例が示されており、この電源スイッチ１０２は一度操作されるとオンして続けて２度目の操作が行われるとオフしてといったように交互にオンオフが切り替えられるものである。
【００１９】
このように携帯機器を構成してデジタルカメラ１０を携帯ホルダ１１に収容された状態から取出す操作を行うと、デジタルカメラ１０が携帯ホルダ１１からの取出し操作によって電源スイッチ１０２と操作部１１ｂが接触したときにその電源スイッチ１０２が操作部１１ｂにより操作されてオフからオンに切り替わったり、オンからオフに切り替わったりする。
【００２０】
また、携帯ホルダ１１に収容されているデジタルカメラ１０の中央に撮影レンズ１０４が装備され、図１には示していないが裏面側には表示画面も装備されている。その表示画面がファインダ代わりになる。また、電源スイッチ１０２と並んでレリーズボタン１０３も配備されている。
【００２１】
図２はデジタルカメラの取出し時（図中の矢印Ａ方向）、またデジタルカメラの収容時（図中の矢印Ｂ方向）に電源スイッチ１０２が携帯ホルダ１１の操作部１１ｂに接触したときの状態を示す図である。
【００２２】
図２に示すように操作部１１１に電源スイッチ１０２が接触すると、その操作部１１ｂによりオフ状態にあった電源スイッチ１０２が操作されオン状態に切り替えられてデジタルカメラ１１に内蔵電池から電力が供給される。また収容するときにも同様に接触するため電源スイッチ１０２が操作されて内蔵電池から電力が供給されることもあるが、後述するオートパワーオフ機能が働くため、電池の電力が所定の時間を越えて供給され続けることはない。したがって、携帯ホルダからデジタルカメラを取り出した時、また携帯ホルダへこの携帯機器を収納した時を起点としてそれ以降において電源スイッチ１０２がオン状態にあり続けることがなくなって電池の電力が無駄に使用されるといったことがなくなる。また携帯ホルダ１１に収納されているときに電源スイッチ１０２がオン状態にあって取出し操作に伴って操作部１１ｂが電源スイッチ１０２をオフ状態に切り替えてしまうようなことも考えられるが、そのような場合にはデジタルカメラ１０を取り出した後電源スイッチ１０２を手で操作してオン状態に切り替えれば良い。
【００２３】
また、図１、図２に示すように、このデジタルカメラ１０には撮影モードと再生モードとを切り替えるモード切替スイッチ１０３０が設けられており、このスイッチ１０３０が撮影モード１０３０ａ側に切り替えられるとカメラとして動作して、再生モード側１０３０ｂに切り替えられると後述する記録メディアに記録されている画像データに基づく画像が表示画面上に表示される。ここではこのモード切替スイッチ１０３０が撮影モード１０３０ａに切り替えられているとして、このデジタルカメラ１０のカメラ動作とオートパワーオフ機能を、図３を参照して説明する。
【００２４】
図３はデジタルカメラ１０の構成を示す図である。
【００２５】
本実施形態のデジタルカメラ１０は、ＣＰＵ１００内のＲＯＭに格納されているプログラムの手順に基づいてＣＰＵがこのデジタルカメラ１０の動作を統括的に制御する。
【００２６】
まず、携帯ホルダ１１から取り出される操作に応じて電源スイッチ１０２が携帯ホルダ１１の操作部１１ｂにより操作されてその電源スイッチ１０２がオフ状態からオン状態に切り替えられたことがＣＰＵ１００により検出されたら、ＣＰＵ１００からＤＣ／ＤＣコンバータ１０１に電力の供給指示が供給される。そうするとＤＣ／ＤＣコンバータ１０１からＣＣＤ１０５，タイミングジェネレータ（以下ＴＧという）１０５１、ＣＤＳＡＭＰ回路１０５２、Ａ／Ｄ回路１０５３、画像信号処理回路１０６、画像再生処理回路１０７、ドライバー１０８ａ、表示装置１０８、ＡＦ検出回路１０９ａ、ＡＥ＆ＡＷＢ検出回路１０９ｂなどの各回路に電力が供給され、撮影レンズ１０４が向けられている方向の被写体が表示装置１０８の表示画面上に表示される。撮影レンズ１０４が向けられた被写体を表示装置１０８の表示画面上に表示させるときには、図３に示すＡＦ検出回路１０９ａを作動させて撮影レンズ１０４のうちのフォーカスレンズを常にピント位置にセットしてピントのあった画像を表示画面に表示させるとともに、ＡＥ＆ＡＷＢ検出回路１０９ｂによる輝度検出結果に応じて絞り（図示せず）の切替を行って適正露出の画像を表示装置１０８の表示画面上に常に表示させるようにもしている。
【００２７】
このように常時ピント調整と露出調整が行われて、所定の時刻ごとにＣＣＤ１０５から出力された画像データが、Ａ／Ｄ回路１０５３、画像信号処理回路１０６、画像再生処理回路１０７、ドライブ回路１０８ａを経由して表示装置１０８に供給され、その表示装置１０８の表示画面上で画像データに基づく被写体が所定の時刻ごとに切り替えられて次々と表示される。この表示画面上に表示されている被写体を見ながらレリーズボタン１０３が押されて撮影が行われる。
【００２８】
また、前述したように、このデジタルカメラはオートパワーオフ機能を備えたものであって、そのオートパワーオフ機能が電池の長寿命化を実現させている。この実施形態では、ＤＣ／ＤＣコンバータ１０１から各回路に電力が供給されているにも拘わらず所定時間を越えてこのデジタルカメラ本体１０への操作がないことをＣＰＵ１００が判定したら、その判定に基づいてＣＰＵ１００がＤＣ／ＤＣコンバータ１０１に電力の供給を停止するようにという指示を出すように構成している。ここでは、オートパワーオフ機能を働かせるにあたって、所定時間を越えたかどうかの判定については、ＣＰＵ１００がＤＣ／ＤＣコンバータ１０１に各回路への電力の供給指示を出すタイミングを起点としてＣＰＵ１００内のタイマーを作動させそのタイマー値に基づいて判定を行うようにしている。
【００２９】
このようにしておくと、携帯ホルダ１１から取り出したらすぐにこのデジタルカメラ１０の使用が開始され、所定の時間経過してもこの携帯機器への操作が行われないときにはオートパワーオフ機能が働いて自動的に内蔵電池からの電力の供給が行われなくなる。
【００３０】
ただし、この実施形態ではＣＰＵ１００に内蔵電池１０００ａ，１０００ｂから電力が常時供給され、電源スイッチ１０２が投入されるのを常時監視する構成になっている。このため、内蔵電池１０００からＣＰＵ１００に常時電力が供給されるが、ＣＰＵ１００に低消費電力タイプのものを用いることでＣＰＵ１００に内蔵電池の電力をほとんど消費させないようにしてある。
【００３１】
次にレリーズボタン１０３の操作によりこのデジタルカメラで撮影が行われたときの撮影データの流れを簡単に説明しておく。
【００３２】
レリーズボタン１０３がレリーズ操作されたことを受けてＣＰＵ１００によってタイミングジェネレータ（以下ＴＧという）１０５１に指示が出されて、タイミングジェネレータ１０５１からＣＣＤ１０５にレリーズのタイミング信号が供給される。このタイミング信号を受けて所定の露光時間を経過したら、ＣＣＤ１０５から被写体像を表す画像信号が後段のＣＤＳＡＭＰ回路１０５２に出力される。その画像信号を受けたＣＤＳＡＭＰ回路１０５２では、画像信号のノイズが低減され、そのノイズが低減された画像信号がＡ／Ｄ回路１０５３に供給される。このＡ／Ｄ回路１０５３では、アナログの画像信号からデジタルの画像信号への変換が行われ、デジタルの画像信号が画像信号処理回路に供給される。この画像信号処理回路１０６では画像信号に画像処理が施されて、その画像処理が施された画像信号は、さらにバス１０６１を介して圧縮伸張処理回路１０６２、メディアコントロール回路１０６３へと供給されて記録メディア１０６４に記録される。
【００３３】
以上モード切替スイッチ１０３０が撮影モードに切り替えられているときの説明をしたが、再生モードに切り替えられているときには記録メディアに記録されている画像データのうち、いずれかの画像データに基づく画像が表示画面上に表示される。
【００３４】
このようにオートパワーオフ機能を持たせることで、電池の電力が無駄遣いされることが防止され、電池の長寿命化を図ることができる携帯機器が実現される。
【００３５】
以上説明したオートパワーオフ機能を駆使することで電池の長寿命化を図ることができるが、デジタルカメラの内蔵電池と各回路との接続を担う電池端子と電池の電極との接続を機械的に遮断することができれば、オートパワーオフ機能を働かせることもなくすぐに電池と各回路との接続が遮断され、電池のさらなる長寿命化を図ることが可能となる。
【００３６】
図４は、図１〜図３で説明した構成に加えて、その電池と各回路との接続を機械的に遮断する構成を付加した例を示す図である。
【００３７】
図４には、２つの内蔵電池のうち一方の内蔵電池１０００ａのプラス電極１００１ａと、デジタルカメラが有する電池接点１０ｂとからなる電源遮断構造と、その電源遮断構造に携帯ホルダ１１に設けた突起部１０ｄを作用させた状態が示されている。
【００３８】
デジタルカメラ１０には、２つの内蔵電池１０００ａ，１０００ｂが装填されており、それらの内蔵電池１０００ａ，１０００ｂ各々が図４に示すように逆方向を向くように接続されている。一般に電池１０００にはプラス電極とマイナス電極があり、ここでは一方の内蔵電池１０００ｂのプラス電極１００１ｂを電池接点１０ｄに接続して他方の内蔵電池１０００ａのマイナス電極１００２ａをその電池接点１０ｄに接続して直列接続を実現させている。デジタルカメラ１０の内部のもう一つの電池接点側は、一方の内蔵電池１０００ｂのマイナス電極１００２ｂが接続される電池接点１０ｃと、他方の内蔵電池１００１ａのプラス電極１００１ａが接続される電池接点１０ｂとがそれぞれ設けられている。
【００３９】
この電池接点１０ｂと電池接点１０ｃとの間に図３に示す各回路がそれぞれ接続されて各回路への電力の供給が行われる。
【００４０】
ここでは、携帯ホルダ１１までの距離が近い方の電池接点１０ｂと他方の電池のプラス電極１００１ａとの間に、絶縁突起１１ｄを作用させて絶縁を図っている。
【００４１】
このプラス電極１００１ａと電池接点１０ｂとの接続の機械的な遮断を受ける部分が本発明にいう電源遮断構造にあたる。この実施形態においては携帯ホルダ１１に絶縁突起１１ｄを設けて、その絶縁突起１１ｄをカメラボディに設けたスリット１０ａを通して内蔵電池１０００ａのプラス端子１００１ａと電池接点１０ｂとの間にその絶縁突起１１ｄを介挿して内蔵電池１０００ａ，１０００ｂと各回路との接続を断っている。ここでは電池接点１０ｂの弾力性を利用して絶縁突起１１ｄを介挿して電極と電池接点との接続を断ったり、デジタルカメラの取出し操作に応じて絶縁突起の介挿を外して元のとおりに電極と電池接点とを接続したりしている。
【００４２】
このようにしておくと収容操作によりデジタルカメラ１０が携帯ホルダ１１に収容されたときに、電池１０００ａ，１０００ｂのプラス電極１００１ａとそのプラス電極１００１ａが接触する電池接点１０ｂとの間の接続が断たれて、電池１０００ａ，１０００ｂから回路への電力の供給が完全に停止される。また、携帯ホルダ１１からのデジタルカメラ１０の取り出し操作に応じては、携帯ホルダの絶縁突起１１ｄが電源遮断構造に作用しなくなって電池のプラス端子と電池端子とが接続されて電池の電力がデジタルカメラに供給される。
【００４３】
このように携帯ホルダにデジタルカメラの電源遮断構造の接続の機械的な遮断を行わせることで、オートパワーオフ機能を働かせなくても確実に電力の供給が断たれる構造が実現される。そうすると、デジタルカメラが携帯ホルダから取り出されたときにのみ電池からの電力が各回路に供給されて、携帯ホルダにデジタルカメラが収容されている時には電池と各回路とが完全に切り離されて電池の電力が無駄に消費されるといったことがなくなる。その結果、オートパワーオフ機能を働かして内蔵電池とデジタルカメラ内の各回路とを切り離す場合に比べて収納時に電池の電力が消費されることが完全になくなり、さらに電池寿命が長くなる。
【００４４】
なお、本実施形態では携帯機器本体としてデジタルカメラを例に挙げたが、カメラ付き携帯電話であっても、電子手帳のようなものであっても何でも良い。
【図面の簡単な説明】
【００４５】
【図１】携帯機器本体１０と携帯ホルダ１１とからなる携帯機器１の外観を示す図である。
【図２】取り出し時に電源スイッチ１０１が操作部１１１に接触した状態を示す図である。
【図３】デジタルカメラ１０の内部構成を示す図である。
【図４】図１〜図３で説明した構成に加えて、その電池と各回路との接続を機械的に遮断する構成を付加した例を示す図である。
【符号の説明】
【００４６】
１  携帯機器
１０    デジタルカメラ
１０ａ    スリット
１０ｂ  １０ｃ  １０ｄ  電池接点
１００    ＣＰＵ
１０００ａ  １０００ｂ  電池
１００１ａ    電池１０００ａのプラス電極
１０１    ＤＣ／ＤＣコンバータ
１０２    電源スイッチ
１０３    レリーズボタン
１０４    撮影レンズ
１０５  撮像素子（ここではＣＣＤ）
１０５１    タイミングジェネレータ（ＴＧ）
１０５２    ＣＤＳＡＭＰ回路
１０５３    Ａ／Ｄ回路
１０６    画像信号処理回路
１０６１    バス
１０６２    圧縮・伸張処理回路
１０６３    メディアコントロール回路
１０６４    記録メディア
１０７    画像再生処理回路
１０８    表示装置
１０８ａ    ドライブ回路
１１    携帯ホルダ
１１ａ    支持部
１１ｂ    操作部
１１ｃ    取付部
１１ｄ    絶縁突起
【図１】
2005274903.tif 000003
【図２】
2005274903.tif 000004
【図３】
2005274903.tif 000005
【図４】
2005274903.tif 000006